【事件の表示】
　特願２０００−３６２７４１「光触媒装置」拒絶査定不服審判事件〔平成１４年　６月１１日出願公開、特開２００２−１６６１７３〕について、次のとおり審決する。
【結　論】
　本件審判の請求は、成り立たない。
【理　由】
１．手続の経緯
　本願は、平成１２年１１月２９日の出願であって、平成２２年５月７日付けで拒絶理由が通知され、平成２２年１０月１９日付けで拒絶査定がなされ、平成２３年１月６日付けで拒絶査定不服審判の請求がなされると共に明細書に係る手続補正書が提出されたものであり、その後、平成２３年１１月２５日付けで特許法第１６４条第３項に基づく報告を引用した審尋が通知され、平成２４年１月１１日付けで回答書が提出されている。
　
２．平成２３年１月６日付けの手続補正についての補正却下の決定
［補正却下の決定の結論］
　平成２３年１月６日付けの手続補正を却下する。
［理由］
　平成２３年１月６日付けの手続補正（以下、必要に応じて「本件補正」という。）は、特許請求の範囲を、
「【請求項１】　透光性繊維を細長く円筒網状に編成してなる触媒保持体（１）内に、顆粒状の光活性触媒体（２）を充填してなる光触媒装置。
【請求項２】　繊維がガラス繊維である請求項１に記載の光触媒装置。
【請求項３】　繊維が４フッ化エチレン樹脂からなる請求項１に記載の光触媒装置。
【請求項４】　顆粒状の光活性触媒対中に透明体粒子（３）を混合、介在させた請求項１ないし３のいずれか一に記載の光触媒装置。
【請求項５】　輪番的に発光し、光活性触媒体に光線を照射する複数の光源（４）を具備した請求項１ないし４のいずれか一に記載の光触媒装置。」
から
「【請求項１】　透光性繊維を細長く円筒網状に編成してなる触媒保持体（１）内に顆粒状の光活性触媒体（２）を充填して成る筒状光触媒体（１０）と、
　光活性触媒体（２）に光を照射する光源と
　光源を点灯する電源とから成る光触媒装置において、
　電源が、On時間１ないし１００μs、Off時間５０μsないし５０msのパルス状に光源を点滅させることを特徴とする、上記の光触媒装置。
【請求項２】　光源（４）が、輪番的に発光し、光活性触媒体（２）に光線を照射する複数の光源（４）である請求項１に記載の光触媒装置。」
に補正するものである。
　
　そこでまず、本件補正後の請求項１が本件補正前のどの請求項に対応するか検討すると、本件補正後の請求項１には「光活性触媒体（２）に光を照射する光源」が記載されているところ、本件補正前の特許請求の範囲において「光源」が記載されている請求項は請求項５だけであるから、本件補正後の請求項１は、本件補正前の請求項１を引用して記載した請求項５に対応するものであると解される。
　よって、本件補正は、本件補正前の請求項１を引用して記載した請求項５に記載された発明に関し、光源を点灯する「電源が、On時間１ないし１００μs、Off時間５０μsないし５０msのパルス状に光源を点滅させる」という発明特定事項を付加する補正事項、及び、本件補正前の請求項１を引用して記載した請求項５に記載された発明に関し、「輪番的に発光」する「複数」の光源を具備するという発明特定事項を削除して発明を実質的に拡張する補正事項を含むものである。
　しかし、本件補正前の請求項１を引用して記載した請求項５には「光源（４）」の発光パターンについて何らの記載も無いから、かかる本件補正前の請求項１を引用して記載した請求項５に記載された発明に関し、光源を点灯する「電源が、On時間１ないし１００μs、Off時間５０μsないし５０msのパルス状に光源を点滅させる」という「光源（４）」の発光パターンを限定する発明特定事項を付加する補正事項は、平成１８年法律第５５号改正附則第３条第１項によりなお従前の例によるとされる同法による改正前の特許法第１７条の２第４項第２号に規定する「特許請求の範囲の減縮」を目的とする補正であるとは認めらない。また、本件補正前の請求項１を引用して記載した請求項５に記載された発明から発明特定事項を削除して発明を実質的に拡張する補正事項も、同項第２号に規定する「特許請求の範囲の減縮」を目的とする補正であるとは到底認められない。
　さらに、これらの補正事項が、同項第１号、第３号及び第４号に規定する、請求項の削除、誤記の訂正、明りょうでない記載の釈明のいずれにも該当しないことは明らかである。
　したがって、これらの補正事項を含む本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　よって、上記のとおり決定する。
　
３．本願発明について
（１）本願発明 
　平成２３年１月６日付けの手続補正は前記２．のとおり却下されたので、本願の請求項１〜５に係る発明は、願書に最初に添付された明細書の特許請求の範囲の請求項１〜５に記載された事項により特定されるとおりのものであると認められるところ、請求項１に係る発明（以下、「本願発明１」という。）は、以下のとおりのものである。
【請求項１】　透光性繊維を細長く円筒網状に編成してなる触媒保持体（１）内に、顆粒状の光活性触媒体（２）を充填してなる光触媒装置。
　
（２）刊行物に記載された事項
（２−１）原査定の拒絶の理由に引用された、本願出願前に頒布された刊行物である特開平１１−３１４０１７号公報（以下、「刊行物１」という。）には、図面と共に次の事項が記載されている。
（ア）「【請求項２】  前記光触媒は網状のホルダ内に収納された空気流通可能な触媒層として該吹出口近傍に配置されていることを特徴とする請求項１に記載の空気清浄機。」（特許請求の範囲　請求項２）
（イ）「そこで本実施例では、プリント基板22上の発光ダイオード23の数に入口開口21側が多くなるような分布をもたせている。これにより触媒層25に照射される光の光量分布を均一とすることができる。触媒層25は、粒子状触媒24が10メッシュの金網から薄い箱状に形成されたホルダに充填されて厚さの薄い板状に形成されている。このように金網状のホルダに充填した構造とすれば、ホルダ形状の自由度が高く種々の形状にして用いることができる。そして本実施例のように、厚さの薄い触媒層25とすれば、光源からの光を面として受光することができるので、単位受光面積当たりの光触媒量をきわめて多くすることができ脱臭効率がきわめて高い。また厚さを薄くすることができるので、空気清浄機の薄型化に貢献している。」（段落【００２７】）
（ウ）「粒子状触媒24は、粒径 0.1μｍのアナターゼ型TiO2粉末４重量部と、粒径 0.5μｍの活性炭粉末１重量部、及び少量のバインダからなり、粒径４±１mmの多孔質のものである。そしてこの粒子状触媒24の形状は不定形に形成され、空気は粒子状触媒24どうしの間隙を通って触媒層25内を自由に通過可能となっている。また発光ダイオード２３からの光も、粒子状触媒24どうしの間隙を通って触媒層25内をある程度透過可能に構成されている。さらに粒子状触媒25自体も多孔質であるので、空気及び光が粒子状触媒25の内部を通過する量も多い。したがって通過する空気が接触する粒子状触媒24の表面積はきわめて大きく、透過する光によって活性化される粒子状触媒24の面積もきわめて大きいものとなっている。」（段落【００２８】）
（エ）「脱臭部２では、発光ダイオード23からの波長 360nm〜 400nmの短波長の光が触媒層25に均一な光量分布で照射され、粒子状触媒24中の光触媒であるTiO2が活性化されている。したがって空気中の煙草の煙などの臭い物質は、触媒層25を通過する間に粒子状触媒24によって分解されて脱臭される。また臭い物質の量が多い場合にも、臭い物質の所定量が粒子状触媒24中の活性炭に吸着され、それがTiO2によって分解されるため、臭い物質がそのまま吹出口20から排出されるのが抑制されている。」（段落【００３１】）
（オ）「ところが臭い物質を含む空気が発光ダイオード23近傍を通過するため、発光ダイオード23表面にその臭い物質が徐々に付着し、それとともに集塵フィルタ13を通過した微細な塵なども付着する。そのため発光ダイオード23の表面が次第に汚れ、光量が徐々に低下するという問題がある。そこで本実施例の空気清浄機は、図８に示すように、プリント基板22の表面に透明なTiO2層40が形成されたガラス板４を配置している。その他の構成は実施例１と同様である。」（段落【００３８】）
（カ）「したがって本実施例の空気清浄機では、発光ダイオード23からの短波長の光はガラス板４及びTiO2層40を透過して触媒層25に照射される。ガラス板４及びTiO2層40は透明であるため、発光ダイオード23からの短波長の光は損失なく触媒層25に照射される。これにより実施例１の空気清浄機と同様の作用効果が奏される。そして本実施例の空気清浄機では、プリント基板22がガラス板４で覆われているため、脱臭部２に流入した空気中に含まれる臭い物質や微細な塵などが発光ダイオード23の表面に付着することがなく、発光ダイオード23から出る光の光量の低下が確実に防止されている。」（段落【００４０】）
　
（２−２）原査定の拒絶の理由に引用された、本願出願前に頒布された刊行物である特開２０００−６１３１６号公報（以下、「刊行物２」という。）には、図面と共に次の事項が記載されている。
（ア）「【請求項１】メッシュ状支持基材の表面に光触媒粒子含有樹脂層を設けたメッシュ状光触媒シ−トにメッシュ状保護シ−トを付設したことを特徴とする通風性光触媒シ−ト構造体。」（特許請求の範囲　請求項１）
（イ）「【発明の実施の形態】以下、図面を参照しつつ本発明の実施の形態について説明する。図１の（イ）は本発明に係る通風性光触媒シ−ト構造体におけるメッシュ状光触媒シ−トを示す図面、図１の（ロ）は図１の（イ）におけるロ−ロ断面図である。図１において、１１はメッシュ状支持基材であり、例えば平織ガラスクロスを使用できる。１２はメッシュ状支持基材１１に被着した光触媒粒子含有ポリテトラフルオロエチレン焼成層であり、ポリテトラフルオロエチレン粉末と光触媒粒子とを含有したディスパ−ジョンを塗布し、加熱により塗布層中の溶媒を蒸発除去し、更に加熱焼成によりポリテトラフルオロエチレン粒子間を焼結し、ついで冷却することにより設けてある。」（段落【０００９】）
（ウ）「上記のメッシュ状支持基材１１としては、柔軟性、耐熱性、高強度であり、かつ空孔率が１０〜８０％、好ましくは４０〜７０％（１０％未満では空気流通抵抗が高くなり過ぎ、８０％を越えると空気接触面積が小さすぎて空気浄化効率が低くなる）等の要件を充足すれば適宜のものを使用でき上記の平織ガラスクロスの外、例えば金網（例えば、アルミニウム金網）、耐熱性プラスチックシ−ト（例えば、ポリイミド、ポリテトラフルオロエチレン）に孔を上記空孔率でパンチングした孔開きシ−ト（孔の形状は四角形、六角形、三角形、円形、楕円形等）、耐熱性有機繊維（例えば、ポリアミド繊維）の織物等の使用も可能である。上記メッシュ状保護シ−ト及びメッシュ状光触媒シ−トに平織のような縁が解け易いものを用いる場合は、縁取りを施すこともできる。例えば、片面粘着テ−プ、特に片面粘着金属テ−プをその巾中央を折り曲げて平織の縁に挾着することができる。」（段落【００１５】）
　
（２−３）原査定の拒絶の理由に引用された、本願出願前に頒布された刊行物である特開平１０−２３０２５５号公報（以下、「刊行物３」という。）には、図面と共に次の事項が記載されている。
（ア）「【請求項１】基材の表面に酸化チタン膜を被覆してなる塊状の浄水材を、通水性及び透光性を備えた柔軟性ホルダ内に複数収容し、該ホルダ毎水中に浸漬可能なるように構成したことを特徴とする浄水具。」（特許請求の範囲　請求項１）
（イ）「【請求項３】請求項１に記載の浄水具において、上記ホルダが細長い筒状をしていて、該筒内に浄水材が列状に収容されているもの。」（特許請求の範囲　請求項３）
（ウ）「上記浄水具４は、図３に示すような、塊状をした基材６の表面に酸化チタン膜７を被覆してなる浄水材５を、通水性及び透光性を備えた柔軟性ホルダ８内に複数収容し、これをホルダ毎水中に浸漬させるように構成したものである。上記「塊状」とは、球や楕円体又は多面体あるいはそれらに類するもののように規則的な外面形状をしたものに限らず、周囲に多少の凸凹を有する不規則な外面形状をしたものをも含むものである。」（段落【００１７】）
（エ）「図５及び図６は浄水具４の異なる実施例を示すもので、図５に示す第２実施例の浄水具４Ａは、ホルダ８Ａが、金属や合成樹脂あるいは繊維等からなる網状素材によって細長い円筒状に形成されていて、その中に球状の浄水材５が列状に収容されたものである。また、図６に示す第３実施例の浄水具４Ｂは、ホルダ８Ｂが、スレンレス等の金属線条や硬質の合成樹脂線条等を螺旋状に巻回することによって、細長い円筒状に形成され、この中に球状の浄水材５が列状に収容されたものである。」（段落【００２８】）として、第４頁に【図５】が、第５頁に【図６】が記載されている。
　
（３）対比、判断
　刊行物１には、記載事項（ア）に「光触媒は網状のホルダ内に収納された空気流通可能な触媒層」として空気清浄機の吹出口近傍に配置されていることが記載されている。
　そして、記載事項（ア）に記載された「触媒層」について、記載事項（イ）に「粒子状触媒24が10メッシュの金網から薄い箱状に形成されたホルダに充填されて厚さの薄い板状に形成されている」ことが記載され、さらに、記載事項（ウ）に「粒子状触媒24は、粒径 0.1μｍのアナターゼ型TiO2粉末４重量部と、粒径 0.5μｍの活性炭粉末１重量部、及び少量のバインダからなり、粒径４±１mmの多孔質のものである」ことが記載されている。
　そこで、記載事項（ア）に記載された「触媒層」に着目すると、刊行物１には、次の発明（以下、「刊行１発明」という。）が記載されているといえる。
「網状のホルダ内に、粒径 0.1μｍのアナターゼ型TiO2粉末４重量部と、粒径 0.5μｍの活性炭粉末１重量部、及び少量のバインダからなり、粒径４±１mmの多孔質の光触媒が充填された空気流通可能な触媒層。」
　
　そこで、本願発明１と刊行１発明とを対比すると、刊行１発明の「光触媒」は、本願発明１の「光活性触媒体」に相当するものであり、「粒径 0.1μｍのアナターゼ型TiO2粉末４重量部と、粒径 0.5μｍの活性炭粉末１重量部、及び少量のバインダからなり、粒径４±１mmの多孔質の」ものであることからみて、「顆粒状」であるといえる。
　また、刊行１発明の「ホルダ」は、本願発明１の「触媒保持体」に相当するものであり、「網状」であることからみて、「網状に編成してなる」ものであるといえる。
　そして、刊行物１の記載事項（エ）に「波長 360nm〜 400nmの短波長の光が触媒層25に・・・照射され、粒子状触媒24中の光触媒であるTiO2が活性化され・・・空気中の煙草の煙などの臭い物質は、触媒層25を通過する間に粒子状触媒24によって分解されて脱臭される」ことが記載されていることからみて、刊行１発明の「触媒層」は、「光触媒装置」といえるものである。
　
　してみると、両者は、
「網状に編成してなる触媒保持体内に、顆粒状の光活性触媒体を充填してなる光触媒装置」
で一致し、
相違点ａ：本願発明１は、「触媒保持体」が、「透光性繊維」を編成してなるものであるのに対し、刊行１発明はかかる特定がない点
相違点ｂ：本願発明１は、「触媒保持体」が、「細長く円筒」状に編成してなるものであるのに対し、刊行１発明はかかる特定がない点
　
　そこでまず、相違点ａについて検討する。
　刊行物１の記載事項（オ）及び（カ）に、発光ダイオードが固定されたプリント基板の表面に透明なTiO2層が形成されたガラス板を配置した例について、ガラス板及びTiO2層は透明であるため、発光ダイオードからの短波長の光は損失なく触媒層に照射され、充分な光触媒作用が奏されることが記載されているように、ガラスの如き透光性材料から成る部材を介して光活性媒体を照射した場合、光はこの透光性の部材を透過して光活性触媒体に達し光触媒作用を発揮させることは当該技術分野において広く知られたことである。
　また、刊行物２には、光触媒粒子含有樹脂層を設けるメッシュ状支持基材として、記載事項（イ）に平織ガラスクロスを用いることが、記載事項（ロ）には耐熱性有機繊維（例えば、ポリアミド繊維）の織物を用いることが記載され、刊行物３の記載事項（ウ）には、基材の表面に酸化チタン膜を被覆してなる塊状の浄水材を収容する通水性及び透光性を備えた柔軟性ホルダを、合成樹脂あるいは繊維等からなる網状素材によって形成することが記載されていることからも明らかなように、光活性触媒体を保持する部材を透光性繊維により形成することは本願出願前広く知られていることである。
　そして、光活性触媒体による光触媒作用は、光活性触媒体に所定の波長の光を照射することにより奏されるものであるから、光活性触媒体を保持する材料により光活性触媒体を照射する光が遮られることにより光活性触媒体の触媒効率が低下することは当業者にとって自明の事項である。
　してみれば、刊行１発明において、網状に編成してなる触媒保持体により光活性触媒体を照射すべき光が遮られることを少なくし、光活性触媒体の触媒効率を高めるべく、「触媒保持体」を「透光性繊維」を編成してなるものとすることは、当業者が容易に想到し得たことである。
　
　次に、相違点ｂについて検討すると、そもそも、光活性触媒体を充填する触媒保持体の形状は、光触媒装置の使用目的、設置場所等に応じて当業者が定めるものである。
　そして、刊行物３には、基材の表面に酸化チタン膜を被覆してなる塊状の浄水材を通水性及び透光性を備えた柔軟性ホルダ内に収容した浄水具について、記載事項（イ）にホルダを細長い筒状とすることが、さらに記載事項（エ）には合成樹脂あるいは繊維等からなる網状素材によって細長い円筒状に形成することが記載されている。
　よって、刊行１発明において、「触媒保持体」を「細長く円筒」状に編成してなるものとすることは、当業者が必要に応じて適宜定め得たことである。
　
　そして、本願明細書及び図面の記載を検討しても、「触媒保持体」を「透光性繊維」を編成してなるものとしたこと、「触媒保持体」を「細長く円筒」状に編成してなるものとしたこと、さらにはそれらを組み合わせたことにより当業者が予測し得ない格別顕著な効果が奏されたものとは認められない。
　
　したがって、本願発明１は、刊行物１〜３に記載された発明に基づいて当業者が容易に発明をすることができたものである。
　
（４）むすび 
　以上のとおり、本願発明１は、刊行物１〜３に記載された発明に基づいて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。